(57)【要約】  ΔΣ変調器は、ベースバンド信号が与えられるループフィルタと、ループフィルタの出力の周波数変換を行う第１周波数変換器と、第１周波数変換器の出力を量子化する第１量子化器と、第１量子化器の出力の周波数変換を行う第２周波数変換器と、第１周波数変換器が用いるローカル信号を量子化する第２量子化器とを備え、第２周波数変換器は、第１周波数変換器が行う周波数変換の逆変換となるように周波数変換を行う。第１周波数変換器は、第２量子化器の出力に基づいてループフィルタの周波数変換を行う。
2018123145.tif 000002
【特許請求の範囲】
【請求項１】
入力信号が与えられるループフィルタと、
前記ループフィルタの出力の周波数変換を行う第１周波数変換器と、
前記第１周波数変換器の出力を量子化する第１量子化器と、
前記第１量子化器の出力の周波数変換を行う第２周波数変換器と、
前記第１周波数変換器が周波数変換に用いるローカル信号を量子化する第２量子化器と、
を備え、
前記ループフィルタは、前記第２周波数変換器の出力をフィードバック信号として受け付け、前記入力信号の周波数近傍の雑音を阻止し、
前記第２周波数変換器は、前記第１周波数変換器が行う周波数変換の逆変換となるように周波数変換を行い、
前記第１周波数変換器は、前記第２量子化器の出力に基づいて前記ループフィルタの出力の周波数変換を行う
ΔΣ変調器。
【請求項２】
前記第１周波数変換器は、
前記ループフィルタの出力を反転する第１反転部と、
前記第２量子化器の出力に応じて、前記ループフィルタの出力及び前記第１反転部の出力のいずれかを前記第１量子化器へ出力する第１選択部と、を備えている
請求項１に記載のΔΣ変調器。
【請求項３】
前記第１量子化器の出力は、前記入力信号が周波数変換された信号を含み、
前記ローカル信号の周波数は、前記入力信号が周波数変換された信号の周波数の４倍よりも低く、前記入力信号の周波数よりも高い
請求項２に記載のΔΣ変調器。
【請求項４】
前記第２周波数変換器は、
前記ローカル信号を反転する第２反転部と、
前記第１量子化器の出力に応じて、前記ローカル信号及び前記第２反転部の出力のいずれかを前記ループフィルタへ出力する第２選択部と、を備えている
請求項１から請求項３のいずれか一項に記載のΔΣ変調器。
【請求項５】
前記第１量子化器及び前記第２量子化器の出力は、２値信号である
請求項１から請求項４のいずれか一項に記載のΔΣ変調器。
【請求項６】
請求項１から請求項５のいずれか一項に記載のΔΣ変調器と、
前記第１量子化器の出力が与えられる送信部と、を備え、
前記第１周波数変換器は、前記入力信号を送信するための搬送波周波数に周波数変換し、
前記送信部は、前記第１量子化器の出力に含まれる前記搬送波周波数に周波数変換された前記入力信号を送信する
送信機。
【請求項７】
入力信号に対してΔΣ変調を行うΔΣ変調器に用いられる半導体集積回路であって、
前記入力信号が与えられるループフィルタと、
前記ループフィルタの出力の周波数変換を行う第１周波数変換器と、
前記第１周波数変換器の出力を量子化する第１量子化器と、
前記第１量子化器の出力の周波数変換を行う第２周波数変換器と、
前記第１周波数変換器が周波数変換に用いるローカル信号を量子化する第２量子化器と、
を備え、
前記ループフィルタは、前記第２周波数変換器の出力をフィードバック信号として受け付け、前記入力信号の周波数近傍の雑音を阻止し、
前記第２周波数変換器は、前記第１周波数変換器が行う周波数変換の逆変換となるように周波数変換を行い、
前記第１周波数変換器は、前記第２量子化器の出力に基づいて前記ループフィルタの出力の周波数変換を行う
半導体集積回路。
【請求項８】
入力信号に対してΔΣ変調を行うための処理方法であって、
前記入力信号に対してループフィルタ処理を行うフィルタステップと、
前記フィルタステップによる出力の周波数変換を行う第１変換ステップと、
前記第１変換ステップによる出力を量子化する第１量子化ステップと、
前記第１量子化ステップによる出力の周波数変換を行う第２変換ステップと、
前記第１変換ステップにおいて周波数変換に用いるローカル信号を量子化する第２量子化ステップと、を含み、
前記フィルタステップは、前記第２変換ステップによる出力をフィードバック信号として受け付け、前記入力信号の周波数近傍の雑音を阻止するループフィルタによって前記ループフィルタ処理を行い、
前記第２変換ステップは、前記第１変換ステップが行う周波数変換の逆変換となるように周波数変換を行い、
前記第１変換ステップは、前記第２量子化ステップによる出力に基づいて前記フィルタステップによる出力の周波数変換を行う
処理方法。
【請求項９】
入力信号を表すデータに対してΔΣ変調を行うための処理をコンピュータに実行させるためのコンピュータプログラムであって、
コンピュータに
前記入力データに対してループフィルタ処理を行うフィルタステップと、
前記フィルタステップによる出力の周波数変換を行う第１変換ステップと、
前記第１変換ステップによる出力を量子化する第１量子化ステップと、
前記第１量子化ステップによる出力の周波数変換を行う第２変換ステップと、
前記第１変換ステップにおいて周波数変換に用いるローカル信号を量子化する第２量子化ステップと、を含む処理を実行させるコンピュータプログラムであり、
前記フィルタステップは、前記第２変換ステップによる出力をフィードバックデータとして受け付け、前記入力信号の周波数近傍の雑音を阻止するループフィルタによって前記ループフィルタ処理を行い、
前記第２変換ステップは、前記第１変換ステップが行う周波数変換の逆変換となるように周波数変換を行い、
前記第１変換ステップは、前記第２量子化ステップによる出力に基づいて前記フィルタステップによる出力の周波数変換を行う
コンピュータプログラム。
【請求項１０】
プログラム可能な集積回路と、前記集積回路の回路構成に関する回路構成情報を前記集積回路に与え、前記回路構成情報に従って前記集積回路に回路を構成させる制御部と、を備えたシステムであって、
前記回路構成情報によって構成される前記回路は、
入力信号が与えられるループフィルタと、
前記ループフィルタの出力の周波数変換を行う第１周波数変換器と、
前記第１周波数変換器の出力を量子化する第１量子化器と、
前記第１量子化器の出力の周波数変換を行う第２周波数変換器と、
前記第１周波数変換器が周波数変換に用いるローカル信号を量子化する第２量子化器と、
を備え、
前記ループフィルタは、前記第２周波数変換器の出力をフィードバック信号として受け付け、前記入力信号の周波数近傍の雑音を阻止し、
前記第２周波数変換器は、前記第１周波数変換器が行う周波数変換の逆変換となるように周波数変換を行い、
前記第１周波数変換器は、前記第２量子化器の出力に基づいて前記ループフィルタの出力の周波数変換を行うΔΣ変調器である
システム。
【発明の詳細な説明】
【技術分野】
【０００１】
本発明は、ΔΣ変調器、送信機、半導体集積回路、処理方法、システム、及びコンピュータプログラムに関するものである。
本出願は、２０１６年１２月２８日出願の日本出願第２０１６−２５５７０６号に基づく優先権を主張し、前記日本出願に記載された全ての記載内容を援用するものである。
【背景技術】
【０００２】
特許文献１には、ΔΣ変調を行った信号を無線送信する送信機が記載されている。
図８は、ΔΣ変調器を備えた送信機の一例を示す図である。図８に示すように、この送信機１００は、ベースバンド信号（Ｉ／Ｑ信号）を直交変調する直交変調部１０１と、直交変調部１０１の出力を無線周波数に周波数変換しＲＦ（Ｒａｄｉｏ  Ｆｒｅｑｕｅｎｃｙ）信号を出力する周波数変換器１０２と、ＲＦ信号が与えられるΔΣ変調器（ＤＳＭ）１０３と、バンドパスフィルタ１０４とを備えている。【０００３】
ΔΣ変調器１０３は、周波数変換器１０２の出力であるＲＦ信号にΔΣ変調を行い、ΔΣ変調信号を出力する。ΔΣ変調信号は、信号伝送路１０５を通じてバンドパスフィルタ１０４に与えられる。
バンドパスフィルタ１０４は、前記ＲＦ信号を通過させる通過帯域を有している。よって、バンドパスフィルタ１０４は、前記ＲＦ信号を通過させつつ当該ΔΣ変調信号に含まれている量子化雑音を除去する。これによって、バンドパスフィルタ１０４はＲＦ信号を出力する。
バンドパスフィルタ１０４から出力されたＲＦ信号は、後段のパワーアンプ１０６によって増幅され、アンテナ１０７から無線波として送信される。
【先行技術文献】
【特許文献】
【０００４】
【特許文献１】特開２０１４−１６５８４６号公報
【発明の概要】
【０００５】
一実施形態であるΔΣ変調器は、入力信号が与えられるループフィルタと、前記ループフィルタの出力の周波数変換を行う第１周波数変換器と、前記第１周波数変換器の出力を量子化する第１量子化器と、前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行う。
【０００６】
また、一実施形態である送信機は、上記ΔΣ変調器と、前記第１量子化器の出力が与えられる送信部と、を備え、前記第１周波数変換器は、前記入力信号を送信するための搬送波周波数に周波数変換し、前記送信部は、前記第１量子化器の出力に含まれる前記搬送波周波数に周波数変換された前記入力信号を送信する。
【０００７】
また、一実施形態である半導体集積回路は、入力信号に対してΔΣ変調を行うΔΣ変調器に用いられる半導体集積回路であって、前記入力信号が与えられるループフィルタと、前記ループフィルタの出力の周波数変換を行う第１周波数変換器と、前記第１周波数変換器の出力を量子化する第１量子化器と、前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行う。
【０００８】
また、一実施形態である処理方法は、入力信号に対してΔΣ変調を行うための処理方法であって、前記入力信号に対してループフィルタ処理を行うフィルタステップと、前記フィルタステップによる出力の周波数変換を行う第１変換ステップと、前記第１変換ステップによる出力を量子化する第１量子化ステップと、前記第１量子化ステップによる出力の周波数変換を行う第２変換ステップと、前記第１変換ステップにおいて周波数変換に用いるローカル信号を量子化する第２量子化ステップと、を含み、前記フィルタステップは、前記第２変換ステップによる出力をフィードバック信号として受け付け、前記入力信号の周波数近傍の雑音を阻止するループフィルタによって前記ループフィルタ処理を行い、前記第２変換ステップは、前記第１変換ステップが行う周波数変換の逆変換となるように周波数変換を行い、前記第１変換ステップは、前記第２量子化ステップによる出力に基づいて前記フィルタステップによる出力の周波数変換を行う。
【０００９】
また、一実施形態であるコンピュータプログラムは、入力データに対してΔΣ変調を行うための処理をコンピュータに実行させるためのコンピュータプログラムであって、コンピュータに前記入力データに対してループフィルタ処理を行うフィルタステップと、前記フィルタステップによる出力の周波数変換を行う第１変換ステップと、前記第１変換ステップによる出力を量子化する第１量子化ステップと、前記第１量子化ステップによる出力の周波数変換を行う第２変換ステップと、前記第１変換ステップにおいて周波数変換に用いるローカル信号を量子化する第２量子化ステップと、を含む処理を実行させるコンピュータプログラムであり、前記フィルタステップは、前記第２変換ステップによる出力をフィードバックデータとして受け付け、前記入力信号の周波数近傍の雑音を阻止するループフィルタによって前記ループフィルタ処理を行い、前記第２変換ステップは、前記第１変換ステップが行う周波数変換の逆変換となるように周波数変換を行い、前記第１変換ステップは、前記第２量子化ステップによる出力に基づいて前記フィルタステップによる出力の周波数変換を行う。
【００１０】
また、一実施形態であるシステムは、プログラム可能な集積回路と、前記集積回路の回路構成に関する回路構成情報を前記集積回路に与え、前記回路構成情報に従って前記集積回路に回路を構成させる制御部と、を備えたシステムであって、前記回路構成情報によって構成される前記回路は、入力信号が与えられるループフィルタと、前記ループフィルタの出力の周波数変換を行う第１周波数変換器と、前記第１周波数変換器の出力を量子化する第１量子化器と、前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行うΔΣ変調器である。
【図面の簡単な説明】
【００１１】
【図１】図１は、送信機のブロック図である。
【図２】図２は、本実施形態のΔΣ変調器の一例を示すブロック図である。
【図３】図３は、第１周波数変換器の構成の一例を示すブロック図である。
【図４】図４は、第２周波数変換器の構成の一例を示すブロック図である。
【図５】図５は、比較例に係るΔΣ変調器の要部を示すブロック図である。
【図６】図６は、シミュレーションによって得た実施例による出力信号Ｗのパワースペクトラムの一例を示す図である。
【図７】図７は、シミュレーションによって得た比較例による出力信号Ｗのパワースペクトラムの一例を示す図である。
【図８】ΔΣ変調器を備えた送信機の一例を示す図である。
【発明を実施するための形態】
【００１２】
［本開示が解決しようとする課題］
図８に示す送信機において、周波数変換器１０２と、ΔΣ変調器１０３とは互いに独立して設けられている。
しかし、周波数変換器１０２をΔΣ変調器１０３に組み込んで一体的に設ければ、周波数変換器１０２と、ΔΣ変調器１０３とを物理的に近づけて設けることができ、ＦＰＧＡ等を用いて周波数変換器１０２及びΔΣ変調器１０３を設けるのに有利な場合がある。
【００１３】
ここで、信号の周波数を変換する場合、変換対象の信号にローカル信号を乗算するための乗算器が必要となる。乗算器は、一般に回路構成が大きくかつ処理負荷も大きくなることから、仮に、ΔΣ変調器に周波数変換器の機能を組み込んだ場合、乗算器を含むことによって、ΔΣ変調器全体としての回路構成が大きくかつ複雑になってしまうことが考えられる。
【００１４】
本開示はこのような事情に鑑みてなされたものであり、簡易な回路構成で周波数変換器の機能を組み込んだΔΣ変調器の提供を目的とする。
【００１５】
［本開示の効果］
本開示によれば、簡易な回路構成で周波数変換器の機能を組み込んだΔΣ変調器を得ることができる。
最初に実施形態を列記して説明する。
【００１６】
［実施形態の概要］
（１）一実施形態であるΔΣ変調器は、入力信号が与えられるループフィルタと、前記ループフィルタの出力の周波数変換を行う第１周波数変換器と、前記第１周波数変換器の出力を量子化する第１量子化器と、前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行う。
【００１７】
上記構成のΔΣ変調器によれば、ローカル信号を量子化する第２量子化器の出力に基づいてループフィルタの出力の周波数変換を行うので、ローカル信号をそのまま用いた場合と比較してより少ない演算量で周波数変換を行うことができる。この結果、より簡易な回路構成で周波数変換器の機能をΔΣ変調器に組み込むことができる。
【００１８】
なお、第２周波数変換器によって行われる、第１周波数変換器が行う周波数変換の逆変換となるような周波数変換とは、以下のような変換をいう。すなわち、第１周波数変換器が行う周波数変換が、変換対象の出力に対して所定周波数だけアップコンバートする周波数変換である場合、第２周波数変換器が行う逆変換となる周波数変換は、変換対象の出力に対して所定周波数だけダウンコンバートする周波数変換である。また、第１周波数変換器が行う周波数変換が、変換対象の出力に対して所定周波数だけダウンコンバートする周波数変換である場合、第２周波数変換器が行う逆変換となる周波数変換は、変換対象の出力に対して前記所定周波数だけアップコンバートする周波数変換である。このように、第１周波数変換器が行う周波数変換の逆変換となるような周波数変換とは、第１周波数変換器によって周波数変換される前の周波数に戻すように周波数変換することをいう。
【００１９】
（２）上記ΔΣ変調器において、前記第１周波数変換器は、前記ループフィルタの出力を反転する第１反転部と、前記第２量子化器の出力に応じて、前記ループフィルタの出力及び前記第１反転部の出力のいずれかを前記第１量子化器へ出力する第１選択部と、を備えていることが好ましい。
この場合、ループフィルタの出力及び第１反転部の出力のいずれかを出力する第１選択部によってループフィルタの出力の周波数変換を行うことができ、一般的な乗算器を用いる場合と比較して回路構成をより簡易にすることができる。
【００２０】
（３）また、上記ΔΣ変調器において、前記第１量子化器の出力は、前記入力信号が周波数変換された信号を含み、前記ローカル信号の周波数は、前記入力信号が周波数変換された信号の周波数の４倍よりも低く、前記入力信号の周波数よりも高くてもよい。
上記（２）の場合、ループフィルタの出力及び第１反転部の出力のいずれかを出力する。このため、量子化されるローカル信号の周波数は、少なくとも、入力信号が周波数変換された信号の周波数の４倍に設定しなければ、入力信号に関する情報量が不足し、当該入力信号が周波数変換された信号に誤差が生じるおそれがある。
この点、第１周波数変換器の出力は、第１量子化器を介してループフィルタにフィードバックされる。このため、第１周波数変換器による周波数変換に生じる誤差に起因する雑音はループフィルタによって抑圧される。
この結果、入力信号が周波数変換された信号の周波数、及びローカル信号の周波数は、相互に制限されることがなく、入力信号が周波数変換された信号の周波数を比較的高く設定する場合にも、ローカル信号としてさらに高い周波数の信号を発生させる必要がない。
【００２１】
（４）上記ΔΣ変調器において、前記第２周波数変換器は、前記ローカル信号を反転する第２反転部と、前記第１量子化器の出力に応じて、前記ローカル信号及び前記第２反転部の出力のいずれかを前記ループフィルタへ出力する第２選択部と、を備えていることが好ましい。
この場合、ローカル信号及び第２反転部の出力のいずれかを出力する第２選択部によって第１量子化器の出力の周波数変換を行うことができ、一般的な乗算器を用いる場合と比較して回路構成をより簡易にすることができる。
【００２２】
（５）また、前記第１量子化器及び前記第２量子化器の出力は、２値信号であることが好ましい。
【００２３】
（６）また、一実施形態である送信機は、上記ΔΣ変調器と、前記第１量子化器の出力が与えられる送信部と、を備え、前記第１周波数変換器は、前記入力信号を送信するための搬送波周波数に周波数変換し、前記送信部は、前記第１量子化器の出力に含まれる前記搬送波周波数に周波数変換された前記入力信号を送信する。
【００２４】
上記構成によれば、ΔΣ変調器に入力される入力信号はΔΣ変調器によって搬送波周波数に周波数変換されるので、送信部は第１量子化器の出力から得られる入力信号をそのまま送信することができる。
【００２５】
（７）また、一実施形態である半導体集積回路は、入力信号に対してΔΣ変調を行うΔΣ変調器に用いられる半導体集積回路であって、前記入力信号が与えられるループフィルタと、前記ループフィルタの出力の周波数変換を行う第１周波数変換器と、前記第１周波数変換器の出力を量子化する第１量子化器と、前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行う。
【００２６】
（８）また、一実施形態である処理方法は、入力信号に対してΔΣ変調を行うための処理方法であって、前記入力信号に対してループフィルタ処理を行うフィルタステップと、前記フィルタステップによる出力の周波数変換を行う第１変換ステップと、前記第１変換ステップによる出力を量子化する第１量子化ステップと、前記第１量子化ステップによる出力の周波数変換を行う第２変換ステップと、前記第１変換ステップにおいて周波数変換に用いるローカル信号を量子化する第２量子化ステップと、を含み、前記フィルタステップは、前記第２変換ステップによる出力をフィードバック信号として受け付け、前記入力信号の周波数近傍の雑音を阻止するループフィルタによって前記ループフィルタ処理を行い、前記第２変換ステップは、前記第１変換ステップが行う周波数変換の逆変換となるように周波数変換を行い、前記第１変換ステップは、前記第２量子化ステップによる出力に基づいて前記フィルタステップによる出力の周波数変換を行う。
【００２７】
（９）また、一実施形態であるコンピュータプログラムは、入力データに対してΔΣ変調を行うための処理をコンピュータに実行させるためのコンピュータプログラムであって、コンピュータに前記入力データに対してループフィルタ処理を行うフィルタステップと、前記フィルタステップによる出力の周波数変換を行う第１変換ステップと、前記第１変換ステップによる出力を量子化する第１量子化ステップと、前記第１量子化ステップによる出力の周波数変換を行う第２変換ステップと、前記第１変換ステップにおいて周波数変換に用いるローカル信号を量子化する第２量子化ステップと、を含む処理を実行させるコンピュータプログラムであり、前記フィルタステップは、前記第２変換ステップによる出力をフィードバックデータとして受け付け、前記入力信号の周波数近傍の雑音を阻止するループフィルタによって前記ループフィルタ処理を行い、前記第２変換ステップは、前記第１変換ステップが行う周波数変換の逆変換となるように周波数変換を行い、前記第１変換ステップは、前記第２量子化ステップによる出力に基づいて前記フィルタステップによる出力の周波数変換を行う。
【００２８】
（１０）また、一実施形態であるシステムは、プログラム可能な集積回路と、前記集積回路の回路構成に関する回路構成情報を前記集積回路に与え、前記回路構成情報に従って前記集積回路に回路を構成させる制御部と、を備えたシステムであって、前記回路構成情報によって構成される前記回路は、入力信号が与えられるループフィルタと、前記ループフィルタの出力の周波数変換を行う第１周波数変換器と、前記第１周波数変換器の出力を量子化する第１量子化器と、
前記第１量子化器の出力の周波数変換を行う第２周波数変換器と、前記第１周波数変換器が周波数変換に用いるローカル信号を量子化する第２量子化器と、を備え、前記ループフィルタは、前記第２周波数変換器の出力をフィードバック信号として受け付け、前記入力信号の周波数近傍の雑音を阻止し、前記第２周波数変換器は、前記第１周波数変換器が行う周波数変換の逆変換となるように周波数変換を行い、前記第１周波数変換器は、前記第２量子化器の出力に基づいて前記ループフィルタの出力の周波数変換を行うΔΣ変調器である。
【００２９】
［実施形態の詳細］
以下、好ましい実施形態について図面を参照しつつ説明する。
なお、以下に記載する各実施形態の少なくとも一部を任意に組み合わせてもよい。
〔送信機の全体構成について〕
図１は、本実施形態に係る送信機を示している。この送信機１は、デジタル信号処理部２と、アナログフィルタ３と、を有している。デジタル信号処理部２は、アナログ信号であるＲＦ（Ｒａｄｉｏ  Ｆｒｅｑｕｅｎｃｙ）信号を周波数成分として含んだデジタル信号（パルス信号）を出力する。このＲＦ信号は、無線波として空間に放射される信号であり、例えば、移動体通信や放送サービスのための送信信号である。
【００３０】
デジタル信号処理部２から出力されたパルス信号は、アナログフィルタ（バンドパスフィルタ又はローパスフィルタ）３に与えられる。デジタル信号処理部２から出力されたパルス信号は、ＲＦ信号の周波数以外の帯域に雑音成分を含んでいる。
アナログフィルタ３は、ＲＦ信号である送信信号を通過させる通過帯域を有している。これにより、アナログフィルタ３は、パルス信号におけるＲＦ信号の周波数以外の帯域に存在する雑音成分を除去しつつＲＦ信号を通過させることができる。
よって、パルス信号が与えられたアナログフィルタ３は、アナログ信号であるＲＦ信号を出力する。
【００３１】
なお、デジタル信号処理部２とアナログフィルタ３との間の信号伝送路４は、回路基板に形成された信号配線であってもよいし、光ファイバー又は電気ケーブルなどの通信ケーブルであってもよい。
【００３２】
アナログフィルタ３から出力されるＲＦ信号は、後段に接続されたパワーアンプ７によって増幅され、アンテナ８に与えられる。アンテナ８に与えられたＲＦ信号は、無線信号として空間に放射され送信される。
【００３３】
デジタル信号処理部２は、送信信号であるベースバンド信号（Ｉ信号及びＱ信号）を出力するベースバンド部５と、ΔΣ変調器（ＤＳＭ）６とを備えている。
【００３４】
デジタル信号処理部２は、ＣＰＵや、記憶部等を含んだコンピュータによって構成することができる。この場合、コンピュータは、前記記憶部に記憶されたプログラム等を読み出して実行することによってデジタル信号処理部２が有するベースバンド部５、及びΔΣ変調器６といった各機能部を実現することができる。
【００３５】
また、デジタル信号処理部２は、例えば、ＦＰＧＡ（Ｆｉｅｌｄ  Ｐｒｏｇｒａｍｍａｂｌｅ  Ｇａｔｅ  Ａｒｒａｙ）等の半導体集積回路によって構成することができる。
デジタル信号処理部２を半導体集積回路で構成した場合、デジタル信号処理部２が有するベースバンド部５、及びΔΣ変調器６といった各機能部は、半導体集積回路に含まれている各種半導体素子を用いて構成される。
【００３６】
さらに、デジタル信号処理部２は、プログラム可能な集積回路であるＦＰＧＡと、このＦＰＧＡの回路構成に関する回路構成情報をＦＰＧＡに与え、前記回路構成情報に従ってＦＰＧＡに回路を構成させる機能を有するコンピュータとを備えたシステムによって構成することもできる。
この場合、コンピュータの記憶部には、回路構成情報をＦＰＧＡに与えるための処理を前記コンピュータに実行させるためのプログラムや、１又は複数の回路構成情報が記憶されている。
前記コンピュータは、前記記憶部に記憶された回路構成情報をＦＰＧＡに与える。回路構成情報が与えられたＦＰＧＡは、与えられた回路構成情報に従った回路を構成する。
前記コンピュータの記憶部には、ベースバンド部５やΔΣ変調器６を含むデジタル信号処理部２をＦＰＧＡに構成させるための回路構成を示す回路構成情報が記憶されている。
前記コンピュータは、デジタル信号処理部２を構成するための回路構成情報をＦＰＧＡに与えることで、ＦＰＧＡにデジタル信号処理部２を構成させることができる。
【００３７】
なお、ベースバンド部５、及びΔΣ変調器６は、一つの半導体集積回路にまとめて設けてもよいし、複数の半導体集積回路に分散して設けてもよい。
【００３８】
ベースバンド部５は、ベースバンド信号（Ｉ（Ｉｎ−ｐｈａｓｅ）信号及びＱ（Ｑｕａｄｒａｔｕｒｅ−ｐｈａｓｅ）信号）をデジタルデータとして出力する。
【００３９】
ベースバンド部５から出力されるベースバンド信号（Ｉ信号及びＱ信号）は、例えば、周波数がｆｉｎである。ベースバンド部５から出力されるベースバンド信号は、ΔΣ変調器６に与えられる。
【００４０】
本実施形態のΔΣ変調器６は、ベースバンド信号が与えられると、パルス信号（ΔΣ変調信号）を出力する。このΔΣ変調信号はベースバンド信号を直交変調した直交変調信号を周波数成分として含んでいる。
また、ΔΣ変調信号に成分として含まれる直交変調信号は、入力信号であるベースバンド信号に対して周波数変換が行われ、無線周波数（搬送波周波数）である周波数ｆｏｕｔとされている。
【００４１】
つまり、ΔΣ変調器６は、ベースバンド信号に対してΔΣ変調するとともにベースバンド信号を直交変調し、その直交変調信号をデジタル信号であるパルス信号（ΔΣ変調信号）に含まれる成分として出力する機能を有している。さらに、ΔΣ変調器６は、ベースバンド信号の周波数変換を行う機能も有している。
【００４２】
〔ΔΣ変調器６について〕
図２は、本実施形態のΔΣ変調器６の一例を示すブロック図である。
ΔΣ変調器６は、Ｉ信号が入力される第１入力ポート１０、Ｑ信号が入力される第２入力ポート１１、及びΔΣ変調信号を出力する出力ポート１２を備えている。ΔΣ変調器６は、両入力ポート１０，１１それぞれに対応するループフィルタ（第１ループフィルタ１３、第２ループフィルタ１４）と、両ループフィルタ１３，１４それぞれに対応する周波数混合（周波数変換）器（第１周波数変換器１５及び第２周波数変換器１６）と、加算器１７と、第１量子化器１８とを備えている。
両ループフィルタ１３，１４は、それぞれ、対応する入力ポート１０，１１に接続された第１入力部１３ａ，１４ａと、フィードバック経路２１，２２を介して第１量子化器１８の出力側に接続された第２入力部１３ｂ，１４ｂと、を備えている。
【００４３】
第１入力部１３ａには、第１入力ポート１０に入力されたＩ信号が与えられる。
第２入力部１３ｂには、第１量子化器１８の出力信号Ｗをダウンコンバートしたフィードバック信号Ｖ１が与えられる。
第１入力部１４ａには、第２入力ポート１１に入力されたＱ信号が与えられる。
第２入力部１４ｂには、第１量子化器１８の出力信号Ｗをダウンコンバートしたフィードバック信号Ｖ２が与えられる。
【００４４】
ループフィルタ１３，１４は、それぞれ、差分器１３ｃ，１４ｃを備えている。差分器１３ｃ，１４ｃには、それぞれ、第１入力部１３ａ，１４ａに接続された第１経路１３ｄ，１４ｄと、第２入力部１３ｂ，１４ｂに接続された第２経路１３ｅ，１４ｅと、が接続されている。
差分器１３ｃは、Ｉ信号と、フィードバック信号Ｖ１との差分を求める。
差分器１４ｃは、Ｑ信号と、フィードバック信号Ｖ２との差分を求める。
【００４５】
差分器１３ｃ，１４ｃによって求められた差分は、各ループフィルタ１３，１４に設けられた内部フィルタ１３ｆ，１４ｆに入力される。なお、第１ループフィルタ１３の内部フィルタ１３ｆと、第２ループフィルタ１４の内部フィルタ１４ｆとは、同じ伝達関数Ｌ（ｚ）とされている。
【００４６】
各内部フィルタ１３ｆ，１４ｆの出力は、各ループフィルタ１３，１４に設けられた加算器１３ｇ，１４ｇに与えられる。
加算器１３ｇには、第１入力部１３ａに入力されるＩ信号を加算器１３ｇに入力させるためのフィードフォワード経路１３ｈが接続されている。したがって、加算器１３ｇは、Ｉ信号と、内部フィルタ１３ｆの出力とを加算する。
【００４７】
また、加算器１４ｇには、第１入力部１４ａに入力されるＱ信号を加算器１４ｇに入力させるためのフィードフォワード経路１４ｈが接続されている。したがって、加算器１４ｇは、Ｑ信号と、内部フィルタ１４ｆの出力とを加算する。
よって、  加算器１３ｇの出力（第１ループフィルタ１３の出力）Ｙ１、及び加算器１４ｇの出力（第２ループフィルタ１４の出力）Ｙ２には、Ｉ信号及びＱ信号が含まれている。
【００４８】
加算器１３ｇの出力Ｙ１、及び加算器１４ｇの出力Ｙ２は、第１周波数変換器１５，１６に与えられる。
第１周波数変換器１５，１６は、加算器１３ｇの出力Ｙ１、及び加算器１４ｇの出力Ｙ２の周波数変換を行う。
【００４９】
ΔΣ変調器６は、第１周波数変換器１５，１６が周波数変換に用いる第１ローカル信号及び第２ローカル信号を生成する発振器２３，２４と、発振器２３，２４及び第１周波数変換器１５，１６の間に接続された第２量子化器３１，３２とをさらに備えている。
【００５０】
発振器２３が発振する第１ローカル信号は、例えば０Ｖを振幅の中心とするｃｏｓ波とされている。また、発振器２４が発振する第２ローカル信号は、例えば０Ｖを振幅の中心とするｓｉｎ波とされている。このように、発振器２３が生成する第１ローカル信号と、発振器２４が生成する第２ローカル信号とは、９０度の位相差を有するように生成される。
発振器２３は、第１ローカル信号を第２量子化器３１及び後述する第２周波数変換器２５に与える。
発振器２４は、第２ローカル信号を第２量子化器３２及び後述する第２周波数変換器２６に与える。
【００５１】
第２量子化器３１は、第１ローカル信号の符号に応じて当該第１ローカル信号を２値化（量子化）する。第２量子化器３２は、第２ローカル信号の符号に応じて当該第２ローカル信号を２値化する。
第２量子化器３１は、例えば、第１ローカル信号の電圧が正である場合、Ｈｉレベルの信号を出力し、第１ローカル信号の電圧が負である場合、Ｈｉレベルの信号よりも低いレベルの信号であるＬｏレベルの信号を出力する。
第２量子化器３２は、例えば、第２ローカル信号の電圧が正である場合、Ｈｉレベルの信号を出力し、第２ローカル信号が負である場合、Ｌｏレベルの信号を出力する。
つまり、第２量子化器３１，３２は、第１ローカル信号，第２ローカル信号を矩形波に変換する。
【００５２】
なお、第２量子化器３１，３２が行う量子化とは、多値で表された信号を示すデジタルデータを、前記多値よりも少ない値で表された信号を示すデジタルデータに変換することをいう。特に、本実施形態において第２量子化器３１，３２が行う２値化とは、多値（例えば、４値以上）で表された第１ローカル信号，第２ローカル信号を表すデジタルデータを２値（Ｈｉレベル及びＬｏレベル）で表された信号を表すデジタルデータにすることをいう。
【００５３】
第２量子化器３１は、第１ローカル信号を２値化した信号である第１量子化ローカル信号Ｌｓ１を第１周波数変換器１５に与える。
第２量子化器３２は、第２ローカル信号を２値化した信号である第２量子化ローカル信号Ｌｓ２を第１周波数変換器１６に与える。
第１周波数変換器１５は、加算器１３ｇの出力Ｙ１を第２量子化器３１の出力（第１量子化ローカル信号Ｌｓ１）に基づいて周波数変換を行う機能を有している。
第１周波数変換器１６は、加算器１４ｇの出力Ｙ２を第２量子化器３２の出力（第２量子化ローカル信号Ｌｓ２）に基づいて周波数変換を行う機能を有している。
【００５４】
図３は、第１周波数変換器１５の構成の一例を示すブロック図である。なお、第１周波数変換器１６の構成も第１周波数変換器１５の構成と同様である。
図３に示すように、第１周波数変換器１５は、ビット反転部４１（第１反転部）と、セレクタ４２（第１選択部）とを備えている。
第１周波数変換器１５に与えられる加算器１３ｇの出力Ｙ１は、ビット反転部４１と、セレクタ４２の第１入力端子４３とに分配される。
【００５５】
ビット反転部４１は、出力Ｙ１が与えられると、出力Ｙ１をビット反転する。ビット反転部４１は、出力Ｙ１をビット反転した反転出力をセレクタ４２の第２入力端子４４に与える。
【００５６】
セレクタ４２には、出力Ｙ１と、出力Ｙ１をビット反転した反転出力が与えられる。
セレクタ４２は、第２量子化器３１から与えられる第１量子化ローカル信号Ｌｓ１に応じて、出力Ｙ１及び反転出力のいずれかを出力端子４５から出力する。
【００５７】
より具体的に、セレクタ４２は、第１量子化ローカル信号Ｌｓ１がＬｏレベルである場合、反転出力を出力する。一方、第１量子化ローカル信号Ｌｓ１がＨｉレベルである場合、出力Ｙ１を出力する。
これにより、セレクタ４２は、出力Ｙ１と、第１量子化ローカル信号Ｌｓ１とを乗算した信号を出力する。
【００５８】
ここで、発振器２３が生成する第１ローカル信号は、周波数ｆｉｎであるＩ信号に乗算されたときに得られる信号の周波数を周波数ｆｏｕｔに周波数変換しうる周波数ｆＬＯに設定されている。
また、第２量子化器３１によって第１ローカル信号を２値化した第１量子化ローカル信号Ｌｓ１は、基本周波数が周波数ｆＬＯである矩形波である。つまり、第１量子化ローカル信号Ｌｓ１は、第１ローカル信号（周波数ｆＬＯのｃｏｓ波）の成分の他に高調波成分を含んだ信号となっている。
【００５９】
よって、セレクタ４２の出力には、出力Ｙ１と、高調波成分とが乗算された信号成分が含まれているが、出力Ｙ１と、第１ローカル信号とが乗算された信号成分も含まれている。
出力Ｙ１と、第１ローカル信号とが乗算された信号成分は、第１ローカル信号で出力Ｙ１を周波数変換した信号成分Ｙ１´である。
このように、第１周波数変換器１５は、第１ループフィルタ１３の出力Ｙ１と、第２量子化器３１の出力とを乗算し、第１ループフィルタ１３の出力Ｙ１の周波数変換を行う。
【００６０】
本実施形態において、周波数ｆｏｕｔは、送信機１がＲＦ信号の送信に用いる使用周波数（無線周波数）であり、周波数ｆｉｎよりも高い周波数である。
よって、第１周波数変換器１５は、周波数変換後の信号成分Ｙ１´の周波数が、出力Ｙ１の周波数に対して周波数ｆＬＯを加算した値となるように出力Ｙ１を周波数変換（アップコンバート）する。
【００６１】
出力Ｙ１をアップコンバートした信号成分Ｙ１´を含むセレクタ４２の出力は、第１周波数変換器１５の出力として加算器１７に与えられる。
【００６２】
図２に戻って、発振器２４が生成する第２ローカル信号も、第１ローカル信号と同様、周波数ｆｉｎであるＱ信号に乗算されたときに得られる信号の周波数を周波数ｆｏｕｔに周波数変換しうる周波数ｆＬＯに設定されている。つまり、第１ローカル信号及び第２ローカル信号は、同じ周波数ｆＬＯである。
また、第２量子化器３２によって第２ローカル信号を２値化した第２量子化ローカル信号Ｌｓ２は、第２ローカル信号（周波数ｆＬＯのｓｉｎ波）の成分の他に高調波成分を含んだ信号となっている。
【００６３】
よって、第１周波数変換器１６の出力には、出力Ｙ２と、高調波成分とが乗算された信号成分が含まれているが、出力Ｙ２と、第２ローカル信号とが乗算された信号成分も含まれている。
出力Ｙ２と、第２ローカル信号とが乗算された信号成分は、第２ローカル信号で出力Ｙ２を周波数変換した信号成分Ｙ２´である。
このように、第１周波数変換器１６は、第２ループフィルタ１４の出力Ｙ２と、第２量子化器３２の出力とを乗算し、第２ループフィルタ１４の出力Ｙ１の周波数変換を行う。
また、第１周波数変換器１６は、周波数変換後の信号成分Ｙ２´の周波数が、出力Ｙ２の周波数に対して周波数ｆＬＯを加算した値となるように出力Ｙ２を周波数変換（アップコンバート）する。
【００６４】
出力Ｙ２をアップコンバートした信号成分Ｙ２´を含む第１周波数変換器１６の出力は、第１周波数変換器１５の出力と同様、加算器１７に与えられる。
第１周波数変換器１５，１６の出力は、互いに加算器１７によって加算される。
【００６５】
ここで、発振器２３が生成する第１ローカル信号と、発振器２４が生成する第２ローカル信号とは、９０度の位相差を有しているので、第１周波数変換器１５の出力に含まれる信号と、第１周波数変換器１６の出力に含まれる信号との間にも９０度の位相差が与えられる。
【００６６】
第１周波数変換器１５の出力は、出力Ｙ１をアップコンバートした信号成分Ｙ１´を含んでいる。また、出力Ｙ１は、Ｉ信号を含んでいる。
また、第１周波数変換器１６の出力は、出力Ｙ２をアップコンバートした信号成分Ｙ２´を含んでいる。また、出力Ｙ２は、Ｑ信号を含んでいる。
よって、第１周波数変換器１５の出力に含まれるＩ信号をアップコンバートした信号と、第１周波数変換器１６の出力に含まれるＱ信号をアップコンバートした信号との間に９０度の位相差が与えられる。
【００６７】
よって、第１周波数変換器１５，１６の出力を加算した加算器１７の出力Ｙは、Ｉ信号（をアップコンバートした信号）とＱ信号（をアップコンバートした信号）とを直交変調した直交変調信号を含む。この直交変調信号については後に説明する。
【００６８】
加算器１７の出力Ｙは、第１量子化器１８に与えられる。第１量子化器１８は、加算器１７の出力Ｙを２値化する。第１量子化器１８は、出力Ｙを２値化することで得た１ｂｉｔのパルス列を量子化信号（ΔΣ変調信号）として出力する。この量子化信号がΔΣ変調器６の出力信号Ｗとなる。
なお、第１量子化器１８が行う２値化とは、多値で表された出力Ｙ（信号）を示すデジタルデータを２値（Ｈｉレベル及びＬｏレベル）で表された信号を示すデジタルデータにすることをいう。
【００６９】
出力信号Ｗは、第２周波数変換器２５，２６に与えられる。
第２周波数変換器２５は、出力信号Ｗに対して、発振器２３が生成する第１ローカル信号を乗算し、出力信号Ｗを周波数変換（ダウンコンバート）する。第２周波数変換器２５は、出力信号Ｗをダウンコンバートした信号であるフィードバック信号Ｖ１を出力する。
【００７０】
第２周波数変換器２６は、出力信号Ｗに対して、発振器２４が生成する第２ローカル信号を乗算し、出力信号Ｗを周波数変換（ダウンコンバート）する。第２周波数変換器２６は、出力信号Ｗをダウンコンバートした信号であるフィードバック信号Ｖ２を出力する。
【００７１】
図４は、第２周波数変換器２５の構成の一例を示すブロック図である。なお、第２周波数変換器２６の構成も第２周波数変換器２５の構成と同様である。
図４に示すように、第２周波数変換器２５は、ビット反転部５１（第２反転部）と、セレクタ５２（第２選択部）とを備えている。
第２周波数変換器２５には、上述したように、発振器２３から第１ローカル信号が与えられるとともに、出力信号Ｗが与えられる。
第２周波数変換器２５に与えられる第１ローカル信号は、ビット反転部５１と、セレクタ５２の第１入力端子５３とに分配される。
【００７２】
ビット反転部５１は、第１ローカル信号が与えられると、第１ローカル信号をビット反転する。ビット反転部５１は、第１ローカル信号をビット反転した反転出力をセレクタ５２の第２入力端子５４に与える。
【００７３】
セレクタ５２には、第１ローカル信号と、第１ローカル信号をビット反転した反転出力が与えられる。
セレクタ５２は、第１量子化器１８から与えられる２値化された出力信号Ｗに応じて、第１ローカル信号及び反転出力のいずれかを出力端子５５から出力する。
【００７４】
より具体的に、セレクタ５２は、２値化された出力信号ＷがＬｏレベルである場合、反転出力を出力する。一方、２値化された出力信号ＷがＨｉレベルである場合、第１ローカル信号を出力する。
これにより、セレクタ５２は、第１ローカル信号と、出力信号Ｗとを乗算した信号をフィードバック信号Ｖ１として出力する。
【００７５】
ここで、加算器１７の出力Ｙを量子化した信号である出力信号Ｗは、第１周波数変換器１５の出力を含んでいる。よって、出力信号Ｗは、第１ローカル信号を乗算することで出力Ｙ１を周波数変換（アップコンバート）した信号成分Ｙ１´を含んでいる。
よって、セレクタ５２が出力信号Ｗに第１ローカル信号を乗算することにより信号成分Ｙ１´がダウンコンバートされる。
よって、フィードバック信号Ｖ１には、出力Ｙ１が含まれる。また、出力Ｙ１にはＩ信号が含まれる。
加算器１７の出力Ｙを２値化した信号である出力信号Ｗは、Ｉ信号とＱ信号とを直交変調した直交変調信号を含む。
つまり、セレクタ５２は、出力信号Ｗに第１ローカル信号を乗算することで、出力信号Ｗに含まれる直交変調信号を復調してＩ信号を得る。
【００７６】
このように、セレクタ５２は、出力信号Ｗをダウンコンバートした信号であるフィードバック信号Ｖ１を第２周波数変換器２５の出力として出力する。
なお、第２周波数変換器２５は、周波数変換後の出力Ｙ１の周波数が、信号成分Ｙ１´の周波数から周波数ｆＬＯを減算した値となるように出力信号Ｗを周波数変換（ダウンコンバート）する。
【００７７】
図２に戻って、第２周波数変換器２５から出力されたフィードバック信号Ｖ１は、フィードバック経路２１を介して第１ループフィルタ１３に与えられる。
【００７８】
第２周波数変換器２６も、出力信号Ｗと第２ローカル信号との基づいて第２周波数変換器２５と同様の処理を行い、フィードバック信号Ｖ２を出力する。
第２周波数変換器２６が出力信号Ｗに第２ローカル信号を乗算することにより、出力Ｗに含まれる信号成分Ｙ２´がダウンコンバートされる。
【００７９】
よって、フィードバック信号Ｖ２には、出力Ｙ２が含まれる。また、出力Ｙ２にはＱ信号が含まれる。
つまり、第２周波数変換器２６も、出力信号Ｗに第２ローカル信号を乗算することで、出力信号Ｗに含まれる直交変調信号を復調してＱ信号を得る。
なお、第２周波数変換器２５，２６が行う復調については後に説明する。
【００８０】
このように、第２周波数変換器２６は、出力信号Ｗをダウンコンバートした信号であるフィードバック信号Ｖ２を第２周波数変換器２６の出力として出力する。
なお、第２周波数変換器２６は、周波数変換後の出力Ｙ２の周波数が、信号成分Ｙ２´の周波数から周波数ｆＬＯを減算した値となるように出力信号Ｗを周波数変換（ダウンコンバート）する。
【００８１】
また、出力信号Ｗが量子化される前の出力Ｙには、第１周波数変換器１５，１６の出力が含まれる。第１周波数変換器１５，１６の出力には、信号成分Ｙ１´，Ｙ２´以外に、上述したように、出力Ｙ１と、第２量子化器３１が生じさせる高調波成分とが乗算された信号成分、及び、出力Ｙ２と、第２量子化器３２が生じさせる高調波成分とが乗算された信号成分とが含まれている。
よって、第２周波数変換器２５，２６が出力するフィードバック信号Ｖ１，Ｖ２にも、第２量子化器３１，３２による高調波成分に起因する信号成分が含まれている。第２量子化器３１，３２による高調波成分に起因する信号成分は、雑音成分としてフィードバック信号Ｖ１，Ｖ２に含まれる。
【００８２】
〔周波数変換について〕
ここで、第１ループフィルタ１３の出力Ｙ１にのみ着目し、さらに、第１周波数変換器１５及び第２周波数変換器２５を有さず、出力Ｙ１が第１量子化器１８に与えられ、出力信号Ｗがフィードバック信号Ｖ１としてフィードバックされる構成とした場合におけるΔΣ変調器６の動作について説明する。
【００８３】
出力Ｙ１にのみ着目した場合のΔΣ変調器６の出力信号Ｗは、下記の式（１）のようにｚ領域における関数で表される。式（１）において、ＳＴＦ（ｚ）は入力信号であるＩ信号（以下、入力信号Ｕ（ｚ）ともいう）についての信号伝達関数であり、ＮＴＦ（ｚ）は、ΔΣ変調器６の雑音伝達関数であり、Ｅ（ｚ）は第１量子化器１８の量子化雑音や、その他の雑音である。
Ｗ（ｚ）  ＝  ＳＴＦ（ｚ）Ｕ（ｚ）  ＋  ＮＴＦ（ｚ）Ｅ（ｚ）
・・・（１）
【００８４】
ＮＴＦ（ｚ）は、下記の式（２）のように表される。よって、第１ループフィルタ１３の内部フィルタ１３ｆは、雑音伝達関数ＮＴＦ（ｚ）を用いて示される伝達関数Ｌ（ｚ）を持つ。
ＮＴＦ（ｚ）  ＝  １  ／  （１  ＋  Ｌ（ｚ））  ・・・（２）
【００８５】
また、上記式（１）より差分器１３ｃの出力は、下記式（３）のように表される。
ＳＴＦ（ｚ）Ｕ（ｚ）  −  Ｗ（ｚ）  ＝  −ＮＴＦ（ｚ）Ｅ（ｚ）
・・・（３）
【００８６】
式（３）より、差分器１３ｃの出力は、出力信号Ｗ（ｚ）に含まれる雑音成分の逆特性となる。
本実施形態の内部フィルタ１３ｆは、第１ループフィルタ１３に入力される入力信号Ｕ（Ｉ信号）の周波数近傍に通過帯域を有し、通過帯域以外の帯域においては信号の通過を阻止するフィルタ特性（雑音伝達関数ＮＴＦ（ｚ））となるように設定されている。
よって、内部フィルタ１３ｆは、当該内部フィルタ１３ｆの通過帯域における雑音成分の逆特性を出力し、加算器１３ｇに与える。前記逆特性は、加算器１３ｇによって入力信号Ｕに加算される。前記逆特性が加算された入力信号Ｕは、第１量子化器１８によって量子化され出力信号Ｗとされる。出力信号Ｗは、フィードバック信号Ｖ１として第１ループフィルタ１３へ向けてフィードバックされる。
【００８７】
このように、本実施形態第１ループフィルタ１３は、内部フィルタ１３ｆの通過帯域における雑音成分の逆特性の加算を入力信号Ｕに対して繰り返すことで、出力信号Ｗにおける入力信号Ｕの周波数近傍の通過帯域の雑音を抑圧する。
よって、第１ループフィルタ１３は、入力信号Ｕ（Ｉ信号）の周波数近傍の帯域における雑音を抑制する特性（バンドストップ特性）を有するように設定される。つまり、雑音伝達関数ＮＴＦ（ｚ）における雑音を抑制しうる帯域（雑音阻止帯域）の中心周波数は、入力信号Ｕ（Ｉ信号）の周波数ｆｉｎとなるように設定される。
【００８８】
なお、雑音を抑制しうる帯域（雑音阻止帯域）の中心周波数は、入力信号Ｕが雑音を抑制しうる帯域に含まれていればよく、任意の周波数に設定することができる。
【００８９】
ΔΣ変調器６は、第１入力ポート１０に入力されたＩ信号を、出力信号Ｗ（ｚ）であるΔΣ変調信号に含めて出力することができる。
【００９０】
次に、第１周波数変換器１５及び第２周波数変換器２６を有する構成とした場合おけるΔΣ変調器６の動作について説明する。
本実施形態において、第１ループフィルタ１３（の加算器１３ｇ）と第１量子化器１８との間には、第１ループフィルタ１３の出力Ｙ１をアップコンバートする第１周波数変換器１５が設けられている。また、第１量子化器１８と第１ループフィルタ１３（の差分器１３ｃ）との間には、第１量子化器１８の出力である出力信号Ｗをダウンコンバートして出力Ｗ（ｚ）を出力する第２周波数変換器２５が設けられている。
【００９１】
第１周波数変換器１５は、上述のように、周波数変換後の信号成分Ｙ１´の周波数が、出力Ｙ１の周波数に対して周波数ｆＬＯを加算した値となるように出力Ｙ１を周波数変換（アップコンバート）する。
また、第２周波数変換器２５は、周波数変換後の出力Ｙ１の周波数が、信号成分Ｙ１´の周波数から周波数ｆＬＯを減算した値となるように出力信号Ｗを周波数変換（ダウンコンバート）する。
つまり、第２周波数変換器２５は、第１周波数変換器１５が行う周波数変換の逆変換となるように周波数変換を行う。
【００９２】
なお、第２周波数変換器２５によって行われる、第１周波数変換器１５が行う周波数変換の逆変換となるような周波数変換とは、以下のような変換をいう。すなわち、第１周波数変換器１５が行う周波数変換が、変換対象の信号に対して所定周波数だけアップコンバートする周波数変換である場合、第２周波数変換器２５が行う逆変換となる周波数変換は、変換対象の信号に対して所定周波数だけダウンコンバートする周波数変換である。また、第１周波数変換器１５が行う周波数変換が、変換対象の信号に対して所定周波数だけダウンコンバートする周波数変換である場合、第２周波数変換器２５が行う逆変換となる周波数変換は、変換対象の信号に対して前記所定周波数だけアップコンバートするものである。このように、第１周波数変換器１５が行う周波数変換の逆変換となるような周波数変換とは、第１周波数変換器１５によって周波数変換される前の周波数に戻すように周波数変換することをいう。
【００９３】
第２周波数変換器２５は、上述のように、第１周波数変換器１５によって周波数変換される前の周波数に戻すように、出力信号Ｗの周波数変換を行う。
このように第１量子化器１８の前段及び後段において信号に対する周波数変換を行ったとしても、上記式（１）に影響が及ばないことは明らかである。
よって、第１周波数変換器１５及び第２周波数変換器２５による周波数変換は、ΔΣ変調器６によるΔΣ変調に影響を与えることはない。
出力信号Ｗ（ｚ）は、第１周波数変換器１５及び第２周波数変換器２５が接続されているとしても、上記式（１）で表すことができる。
【００９４】
本実施形態では、第２周波数変換器２５は、第１周波数変換器１５が行う周波数変換の逆変換となるように周波数変換を行うので、第１周波数変換器１５によって周波数変換される前の周波数に戻すように、出力信号Ｗの周波数変換を行う。
これにより、第２周波数変換器２５によって出力信号Ｗに含まれる信号成分Ｙ１´がダウンコンバートされることで出力Ｙ１を得ることができる。得られた出力Ｙ１は、第１フィードバック信号Ｖ１に含まれた状態で第１ループフィルタ１３にフィードバックされる。これにより、第１周波数変換器１５による周波数変換の影響がΔΣ変調に及ぶのを防止できる。
【００９５】
一方、出力ポート１２から出力される出力信号Ｗに含まれる入力信号Ｕ（ｚ）（Ｉ信号）は、第１周波数変換器１５によって周波数ｆｏｕｔにアップコンバートされている。
言い換えると、出力信号Ｗは、周波数ｆｉｎであるＩ信号を周波数ｆｏｕｔにアップコンバートした信号を含んでいる。
このように、ΔΣ変調器６は、入力信号であるＩ信号の周波数変換を行うことができる。
【００９６】
以上のように本実施形態のΔΣ変調器６は、適切にΔΣ変調を行いつつ、入力信号であるＩ信号に対して周波数変換を行うことができる。すなわち、入力信号に対して周波数変換を行う周波数変換器の機能をΔΣ変調器６に組み込むことができる。
【００９７】
また、上記説明は、第１ループフィルタ１３の出力Ｙ１にのみ着目して考えた場合を示したが、第２ループフィルタ１４の出力Ｙ２に着目して考えた場合も同様である。
【００９８】
また、本実施形態では、第１周波数変換器１５，１６が、第１ローカル信号及び第２ローカル信号を量子化する第２量子化器３１，３２の出力に基づいて出力Ｙ１，Ｙ２の周波数変換を行うので、例えば、ローカル信号をそのまま用いた場合と比較してより少ない演算量で周波数変換を行うことができる。この結果、より簡易な回路構成で周波数変換器の機能をΔΣ変調器６に組み込むことができる。
【００９９】
さらに、本実施形態では、第１周波数変換器１５，１６が、第１及び第２ローカル信号を量子化する第２量子化器３１，３２の出力に基づいて出力Ｙ１，Ｙ２の周波数変換を行うので、当該第１周波数変換器１５，１６を、ループフィルタ１３，１４の出力Ｙ１，Ｙ２を反転するビット反転部４１と、第２量子化器３１，３２の出力に応じてループフィルタ１３，１４の出力Ｙ１，Ｙ２及びビット反転部４１の反転出力のいずれかを第１量子化器１８へ出力するセレクタ４２とによって構成することができる。
【０１００】
この場合、ループフィルタ１３，１４の出力Ｙ１，Ｙ２及びこれらの反転出力のいずれかを選択するセレクタ４２によってループフィルタ１３，１４の出力Ｙ１，Ｙ２の周波数変換を行うことができ、一般的な乗算器を用いる場合と比較して回路構成をより簡易にすることができる。
【０１０１】
また、本実施形態では、第２周波数変換器２５，２６を、第１及び第２ローカル信号を反転するビット反転部５１と、第１量子化器１８の出力に応じて、第１及び第２ローカル信号及び前記ビット反転部５１の反転出力のいずれかをループフィルタ１３，１４へ出力するセレクタ５２とによって構成したので、第１及び第２ローカル信号及びこれらの反転出力のいずれかを選択するセレクタ５２によって第１量子化器１８の出力信号Ｗの周波数変換を行うことができ、一般的な乗算器を用いる場合と比較して回路構成をより簡易にすることができる。
【０１０２】
また、本実施形態において、第１周波数変換器１５，１６の出力には、上述したように、第２量子化器３１，３２が生じさせる高調波成分に起因する雑音成分が含まれている。
このため、この雑音成分が出力信号Ｗに影響を与える可能性が考えられる。
この点、第２量子化器３１，３２による高調波成分に起因する雑音成分は、第２周波数変換器２５，２６が出力するフィードバック信号Ｖ１，Ｖ２に含められ、ループフィルタ１３，１４に与えられる。
よって、第２量子化器３１，３２による高調波成分に起因する雑音成分は、第１量子化器１８の量子化雑音と同様、ループフィルタ１３，１４によって抑圧される。
この結果、第１周波数変換器１５，１６の出力に含まれる第２量子化器３１，３２による高調波成分に起因する雑音成分が出力信号Ｗに影響を与えるのが抑制される。
【０１０３】
また、第１周波数変換器１５，１６は、第２量子化器３１，３２から与えられる量子化ローカル信号Ｌｓ１，Ｌｓ２に応じて、出力Ｙ１，Ｙ２及び反転出力のいずれかを出力する。
これにより、第１周波数変換器１５，１６は、出力Ｙ１，Ｙ２と、第１量子化ローカル信号Ｌｓ１，Ｌｓ２とを乗算し、出力Ｙ１，Ｙ２に含まれるＩ信号及びＱ信号を周波数ｆｏｕｔにアップコンバートする。
ここで、第１周波数変換器１５，１６が、Ｉ信号及びＱ信号を周波数ｆｏｕｔへ誤差なくアップコンバートするためには、第１及び第２ローカル信号の周波数が、少なくとも周波数ｆｏｕｔの４倍である必要があることが考えられる。
【０１０４】
第１及び第２ローカル信号は、２値化された信号である量子化ローカル信号Ｌｓ１，Ｌｓ２とされ、かつ、Ｉ信号及びＱ信号との間に９０度の位相差を与える必要がある。このため、第１及び第２ローカル信号は、誤差を生じさせないために、Ｉ信号及びＱ信号をアップコンバートした信号に対して、少なくとも４倍のデータレートが必要となるためである。
【０１０５】
これに対し、本実施形態では、発振器２３が生成する第１及び第２ローカル信号は、周波数ｆｉｎであるＩ信号及びＱ信号に乗算されたときに得られる信号の周波数を周波数ｆｏｕｔに周波数変換しうる周波数ｆＬＯに設定されている。
つまり、本実施形態では、第１及び第２ローカル信号の周波数ｆＬＯは、Ｉ信号及びＱ信号が周波数変換された信号の周波数ｆｏｕｔよりも低く設定されている。
【０１０６】
第１及び第２ローカル信号の周波数が、周波数ｆｏｕｔの４倍よりも低い場合、Ｉ信号及びＱ信号に関する情報量が不足し、Ｉ信号及びＱ信号をアップコンバートした信号に誤差が生じるおそれがある。
この点、第１周波数変換器１５，１６におけるアップコンバートの際に生じる誤差に起因する雑音成分は、第２量子化器３１，３２による高調波成分と同様、フィードバック信号Ｖ１，Ｖ２に含められ、ループフィルタ１３，１４に与えられる。よって、アップコンバートの際の誤差に起因する雑音成分は、第１量子化器１８の量子化雑音と同様、ループフィルタ１３，１４によって抑圧される。
【０１０７】
このため、本実施形態にΔΣ変調器６によれば、第１及び第２ローカル信号の周波数が、周波数ｆｏｕｔの４倍よりも低い場合であっても、それによって生じる誤差が抑圧される。この結果、Ｉ信号及びＱ信号を周波数変換した信号の周波数ｆｏｕｔ、及びローカル信号の周波数ｆＬＯは、相互に制限されることなく、任意に設定することができる。さらに、周波数ｆｏｕｔの周波数を比較的高く設定する場合にも、ローカル信号としてさらに高い周波数の信号を発生させる必要がない。
【０１０８】
なお、第１及び第２ローカル信号の周波数ｆＬＯは、入力信号の周波数ｆｉｎよりも高く設定されている。
【０１０９】
なお、本実施形態では、Ｉ信号及びＱ信号をアップコンバートした信号を直交変調するため、第１及び第２ローカル信号は、誤差を生じさせないために、Ｉ信号及びＱ信号をアップコンバートした信号に対して、少なくとも４倍のデータレートが必要となる。
一方、、第１ループフィルタ１３の出力Ｙ１にのみ着目し、第２ループフィルタ１４の出力Ｙ２を考慮せず、直交変調することなくＩ信号をアップコンバートした信号を出力信号Ｗに含める場合、第１ローカル信号は、誤差を生じさせないために、Ｉ信号をアップコンバートした信号に対して、少なくとも２倍のデータレートが必要となる。
【０１１０】
この場合、Ｉ信号が周波数変換された信号には誤差が生じるおそれがあるが、第１ローカル信号の周波数ｆＬＯを、Ｉ信号が周波数変換された信号の周波数ｆｏｕｔの２倍よりも低い値に設定することができる。
第１周波数変換器による周波数変換に生じる誤差に起因する雑音はループフィルタによって抑圧されるからである。
【０１１１】
〔直交変復調について〕
加算器１７は、アップコンバートされた第１ループフィルタ１３の出力Ｙ１と、アップコンバートされた第２ループフィルタ１４の出力Ｙ２とを加算することで出力Ｙを出力する。
ここで、出力Ｙを量子化した信号である出力信号Ｗは、下記の式（４）のように表すことができる。
Ｗ  ＝
Ｉｃｏｓ（ωｔ）  ＋  Ｑｓｉｎ（ωｔ）  ＋  Ｅ／（１  ＋  Ｌ）
・・・（４）
【０１１２】
上記式（４）中、Ｉは第１ループフィルタ１３に与えられるＩ信号、Ｑは第２ループフィルタ１４に与えられるＱ信号、ωは第１ローカル信号（第２ローカル信号）の角周波数、ｔは時間、Ｅは量子化雑音、Ｌは内部フィルタ１３ｆ，１４ｆの伝達関数である。
【０１１３】
式（３）のように、出力信号Ｗは、第１量子化器１８の量子化による量子化雑音と、Ｉ信号とＱ信号とを直交変調した直交変調信号とを含んでいる。
【０１１４】
第１量子化器１８の前段における出力Ｙと、第１量子化器１８の後段における出力信号Ｗとは、第１量子化器１８による量子化雑音が加算されたか否かの相違のみである。
よって、出力Ｙも、Ｉ信号とＱ信号とを直交変調した直交変調信号を含んでいる。このことから、周波数変換器１５、第２周波数変換器１６、及び加算器１７は、Ｉ信号とＱ信号とを直交変調して直交変調信号を生成する直交変調部を構成している。
【０１１５】
出力信号Ｗは、上記式（４）のように、Ｉ信号とＱ信号とを直交変調した直交変調信号を含んでいる。
よって、第２周波数変換器２５が出力信号Ｗに第１ローカル信号を乗算することで、出力信号Ｗに含まれる直交変調信号が復調される。第２周波数変換器２５が出力するフィードバック信号Ｖ１には、Ｉ信号を含む第１ループフィルタ１３の出力Ｙ１が含まれる。
また、第２周波数変換器２６が出力信号Ｗに第２ローカル信号を乗算することで、出力信号Ｗに含まれる直交変調信号が復調される。第２周波数変換器２６が出力するフィードバック信号Ｖ２には、Ｑ信号を含む第２ループフィルタ１４の出力Ｙ２が含まれる。
【０１１６】
このように、第３周波数変換器２５及び第４周波数変換器２６は、対応するループフィルタ１３，１４の出力に含まれていた信号を復調するので、ループフィルタ１３，１４に対して適切なフィードバック信号Ｖ１，Ｖ２を与えることができる。
【０１１７】
〔ΔΣ変調器の出力信号Ｗについて〕
ΔΣ変調器６の出力信号Ｗは、周波数ｆｏｕｔの直交変調信号を成分として含んでいる。
このようにΔΣ変調器６は、送信信号であるベースバンド信号に対してΔΣ変調するとともにベースバンド信号を直交変調する。さらにΔΣ変調器６は、直交変調した直交変調信号を含むΔΣ変調信号（出力信号Ｗ）を出力する。さらに、ΔΣ変調器６は、周波数ｆｉｎのベースバンド信号に対して周波数変換を行い、無線周波数（搬送波周波数）である周波数ｆｏｕｔの直交変調信号を含むΔΣ変調信号を出力する。
【０１１８】
ΔΣ変調器６は出力信号Ｗを出力ポート１２から出力する。ΔΣ変調器６は出力信号Ｗを後段のアナログフィルタ３（図１）に与える。アナログフィルタ３は、出力信号Ｗに含まれる、無線周波数である周波数ｆｏｕｔの直交変調信号（ＲＦ信号）を通過させる。よって、アナログフィルタ３は、周波数ｆｏｕｔの帯域外に存在する雑音成分を除去し、周波数ｆｏｕｔの直交変調信号を後段のパワーアンプ７（図１）に与える。
直交変調信号は、パワーアンプ７によって増幅され、アンテナ８から無線信号として空間に放射される。
【０１１９】
このように、本実施形態のΔΣ変調器６において、第１周波数変換器１５，１６が、ベースバンド信号の周波数を、当該ベースバンド信号を送信信号として送信する際の無線周波数（搬送波周波数）に周波数変換するように構成したので、第１量子化器１８の出力をΔΣ変調信号として取り出し、第１量子化器１８の出力に含まれる雑音を除去すれば、無線周波数に周波数変換された信号を得ることができる。
【０１２０】
なお、本実施形態では、ΔΣ変調器６がループフィルタを２つ備え、ベースバンド信号（Ｉ信号及びＱ信号）を送信する場合を例示したが、ΔΣ変調器６はループフィルタを１つ備えた構成とすることもできる。この場合、例えば、直交変調した後の直交変調信号をΔΣ変調器６に与え、直交変調信号に対してΔΣ変調するとともにこの直交変調信号の周波数変換を行うように構成することができる。この場合も、入力信号に対して周波数変換を行う周波数変換器の機能をΔΣ変調器６に組み込むことができる。
【０１２１】
また、上記実施形態では、第１周波数変換器１５，１６がループフィルタ１３，１４の出力Ｙ１，Ｙ２に対してアップコンバートを行い、第２周波数変換器２５，２６が第１量子化器１８の出力である出力信号Ｗに対してダウンコンバートを行う場合を示したが、第１周波数変換器１５，１６がループフィルタ１３，１４の出力Ｙ１，Ｙ２に対してダウンコンバートを行い、第２周波数変換器２５，２６が第１量子化器１８の出力である出力信号Ｗに対してアップコンバートを行うように構成してもよい。なお、この場合においても、第２周波数変換器２５，２６は、第１周波数変換器１５，１６が行う周波数変換の逆変換となるように周波数変換を行う。
【０１２２】
〔評価試験について〕
本実施形態のΔΣ変調器６の出力信号Ｗにおける雑音レベルについて行った評価試験について説明する。
実施例としては、上述のΔΣ変調器６を採用した。
比較例としては、図５に示すように、ΔΣ変調器６が有する第１周波数変換器１５，１６に代えて、発振器２３，２４から第１及び第２ローカル信号が与えられる乗算器６１，６２を備えたΔΣ変調器を採用した。
【０１２３】
上記実施例及び比較例について、コンピュータによるシミュレーションによって出力信号Ｗを出力させた。
実施例及び比較例に対して、ＬＴＥ（Ｌｏｎｇ  Ｔｅｒｍ  Ｅｖｏｌｕｔｉｏｎ）のベースバンド信号を与え、搬送波周波数６００ＭＨｚ、帯域幅５ＭＨｚの直交変調信号を含む出力信号Ｗを出力させた場合についてシミュレーションを行った。
【０１２４】
図６は、シミュレーションによって得た実施例による出力信号Ｗのパワースペクトラムの一例を示す図である。図６中の（ａ）は、実施例による出力信号Ｗのパワースペクトラムの一例を示す図であり、図６中の（ｂ）は、図６中の（ａ）の要部拡大図である。
図６中の（ａ）中、ＵＩ，Ｑは、直交変調信号であり、図６中の（ｂ）では、直交変調信号Ｕを拡大している。
【０１２５】
この実施例では、ＡＣＬＲ（隣接チャネル漏洩電力比：Ａｄｊａｃｅｎｔ  Ｃｈａｎｎｅｌ  Ｌｅａｋａｇｅ  ｐｏｗｅｒ  Ｒａｔｉｏ）が、５６．７ｄＢ、５７．７ｄＢであった。
【０１２６】
図７は、シミュレーションによって得た比較例による出力信号Ｗのパワースペクトラムの一例を示す図である。図７中の（ａ）は、比較例による出力信号Ｗのパワースペクトラムの一例を示す図であり、図７中の（ｂ）は、図７中の（ａ）の要部拡大図である。
図７中の（ａ）中、ＵＩ，Ｑは、直交変調信号であり、図７中の（ｂ）では、直交変調信号Ｕを拡大している。
【０１２７】
比較例では、ＡＣＬＲが、５９．７ｄＢ、６０．５ｄＢであった。
このように、実施例では、比較例と比較して約３ｄＢの劣化しか認められず、実用上問題のない信号品質を得ることができることが確認できる。
【０１２８】
この結果から、ループフィルタ１３，１４の出力をアップコンバートするために、ビット反転部４１と、セレクタ４２とによって簡易な構成とされた第１周波数変換器１５，１６を用いたとしても、実用上問題のない信号品質を得ることができることが判った。
【０１２９】
〔その他〕
なお、今回開示された実施の形態はすべての点で例示であって制限的なものではないと考えられるべきである。
例えば、上記実施形態では、第２量子化器３１，３２が、第１及び第２ローカル信号を２値化した信号である量子化ローカル信号Ｌｓ１，Ｌｓ２を出力する場合を例示したが、第２量子化器３１，３２は、第１及び第２ローカル信号を３値で量子化した信号を出力するように構成してもよい。
この場合、第２量子化器３１，３２は、例えば、第１及び第２ローカル信号の電圧が正である場合、Ｈｉレベルの信号を出力し、第１及び第２ローカル信号の電圧が負である場合、Ｌｏレベルの信号を出力し、第１及び第２ローカル信号の電圧が０Ｖの場合、「０」を出力する。
【０１３０】
また、上記実施形態では、第１周波数変換器１５，１６に第１及び第２ローカル信号を量子化した信号を与え、第２周波数混合器２５，２６には、第１及び第２ローカル信号をそのまま与えた場合を示したが、第２周波数混合器２５，２６にも第１及び第２ローカル信号を量子化した信号を与えてもよい。
【０１３１】
本発明の範囲は、上記した意味ではなく、請求の範囲によって示され、請求の範囲と均等の意味、及び範囲内でのすべての変更が含まれることが意図される。
【符号の説明】
【０１３２】
１  送信機
２  デジタル信号処理部
３  アナログフィルタ
４  信号伝送路
５  ベースバンド部
６  変調器
７  パワーアンプ
８  アンテナ
１０  第１入力ポート
１１  第２入力ポート
１２  出力ポート
１３  第１ループフィルタ
１３ａ  第１入力部
１３ｂ  第２入力部
１３ｃ  差分器
１３ｄ  第１経路
１３ｅ  第２経路
１３ｆ  内部フィルタ
１３ｇ  加算器
１３ｈ  フィードフォワード経路
１４  第２ループフィルタ
１４ａ  第１入力部
１４ｂ  第２入力部
１４ｃ  差分器
１４ｄ  第１経路
１４ｅ  第２経路
１４ｆ  内部フィルタ
１４ｇ  加算器
１４ｈ  フィードフォワード経路
１５  第１周波数変換器
１６  第１周波数変換器
１７  加算器
１８  第１量子化器
２１  フィードバック経路
２２  フィードバック経路
２３，２４  発振器
２５  第２周波数変換器
２６  第２周波数変換器
３１  第２量子化器
３２  第２量子化器
４１  ビット反転部
４２  セレクタ
４３  第１入力端子
４４  第２入力端子
５１  ビット反転部
５２  セレクタ
５３  第１入力端子
５４  第２入力端子
５５  出力端子
６１，６２  乗算器
【図１】
2018123145.tif 000003
【図２】
2018123145.tif 000004
【図３】
2018123145.tif 000005
【図４】
2018123145.tif 000006
【図５】
2018123145.tif 000007
【図６】
2018123145.tif 000008
【図７】
2018123145.tif 000009
【図８】
2018123145.tif 000010
【国際調査報告】
2018123145.tif 000011
2018123145.tif 000012
2018123145.tif 000013
2018123145.tif 000014